(57)【要約】      （修正有）【課題】再封する操作が簡単で、しかも再封した状態か開封前の状態かを一目で容易に判別することができる再封機能付き包装箱を提供する。【解決手段】開封前の組み立て状態で、サイドフラップ３８、６０、内蓋片６８及び外蓋片４６が順に重なってシールエンド型の蓋部が形成される。内蓋片６８は、先端中央部に再封用舌片７２が延設され、再封用舌片７２には、基端部の両側端に、各々内向きに延びる切り込み線７６を一対に設けることによって、互いに反対方向に突出する係合部７２ａを備える。サイドフラップ３８、６０には、一対の係合部７２ａが係合可能な形状の係合受け部３８ａ、６０ａを備える。開封後、再封された状態で、係合受け部３８ａ、６０ａが一対の切り込み線７６の中に入り、一対の係合部７２ａが係合受け部３８ａ、６０ａの内面側に係合することによって蓋部が閉じた状態に保持される。【選択図】図２
0003224237.tif 000002
【実用新案登録請求の範囲】
【請求項１】
四角形の筒体を形成する複数の側面板と、前記複数の側面板の中の１つである第一の側面板の端部に第一折罫線を介して延設された外蓋片と、前記複数の側面板の中の、前記第一の側面板と対向する第二の側面板の端部に延設された内蓋片と、前記複数の側面板の中の、前記第一及び第二の側面板と交差する２つの側面板の端部に各々延設されたサイドフラップと、前記第一の側面板の内側の端部に設けられた開封部と、開封時に前記外蓋片及び前記開封部を前記第一の側面板から分離させるための開封用破断線とを備え、
開封前の組み立て状態で、前記サイドフラップ、前記内蓋片及び前記外蓋片が順に重なり、前記外蓋片が前記内蓋片の表面に糊付けされて蓋部が形成されるシールエンド型の包装箱であって、
前記内蓋片の先端中央部に再封用舌片が延設され、前記再封用舌片は、基端部の両側端に、各々内向きに延びる切り込み線又は切り欠きを一対に設けることによって、互いに反対方向に突出する係合部が一対に設けられ、２つの前記サイドフラップには、前記再封用舌片の係合部が係合可能な形状の係合受け部が各々設けられ、
開封前の組み立て状態で、前記再封用舌片は、前記内蓋片と面一に配置されて前記蓋部の中に収まり、前記開封用破断線が切り離されて開封された後、再封された状態で、前記サイドフラップ、前記内蓋片及び前記外蓋片が順に重なり、前記サイドフラップの前記係合受け部が前記再封用舌片の前記切り込み線又は切り欠きの中に入り、前記再封用舌片の前記係合部が前記係合受け部の内面側に係合することによって前記蓋部が閉じた状態に保持されることを特徴とする再封機能付き包装箱。
【請求項２】
前記サイドフラップの、前記外蓋片の基端部に近い側の側端部が斜めに面取りされ、この面取りされた部分に前記係合受け部が設けられている請求項１記載の再封機能付き包装箱。
【請求項３】
前記外蓋片の内側には、前記第一折罫線に対向する第二折罫線が設けられ、
開封前の組み立て状態で、前記第二折罫線が、前記再封用舌片と前記内蓋片との境界部と重なる位置又はその近傍に配置される請求項１又は２記載の再封機能付き包装箱。
【請求項４】
前記再封用舌片は、前記第一の側面板と異なる色に彩色されている請求項１乃至３のいずれか記載の再封機能付き包装箱。
【請求項５】
一枚の箱体形成片を組み立てることによって形成される請求項１乃至４のいずれか記載の再封機能付き包装箱。
【考案の詳細な説明】
【技術分野】
【０００１】
本考案は、シールエンド型の蓋部を開封した後、再封する機能を備えた再封機能付き包装箱に関する。
【背景技術】
【０００２】
従来、例えば特許文献１に開示されているように、４つの側面板の各端縁部に各々延設された一対のフラップ、内蓋及び外蓋を有し、開封前の組み立て状態で、一対のサイドフラップ、内蓋及び外蓋が順に重なり、外蓋が内蓋の表面に糊付けされてシールエンド型の天蓋が形成される包装用箱があった。この包装用箱は、外蓋が延設された側面板の端部に開封部が設けられ、当該側面板の端部に、外蓋及び開封部を当該側面板から分離させるためのミシン目が設けられ、開封する時、このミシン目を破断させることによって、蓋部が開閉可能にすることができる。
【０００３】
さらに、開封された蓋部を再封可能にするため、外蓋の側縁部に延設された延長フラップと、延長フラッップの延設方向と直角方向の側縁部に延設された差し込み片とが設けられている。開封前の組み立て状態では、延長フラップは外蓋に裏面に重ねて固定され、差し込み片は、内蓋が延設された側面板の内側に重なるように配置される。そして、ミシン目が切り離されて開封された後、再封された状態で、サイドフラップ、内蓋及び外蓋片が順に重なり、差し込み片が、内蓋が延設された側面板の内面側に差し込まれて係止され、蓋部が閉じた状態に保持される。
【先行技術文献】
【特許文献】
【０００４】
【特許文献１】実用新案登録第３２１０１３６号公報
【考案の概要】
【考案が解決しようとする課題】
【０００５】
例えば、包装箱に包装されて流通する医薬品は、病院や調剤薬局等の医療機関に納入されると、包装箱に入った状態で、種類ごとに保管棚に並べて保管されることが多く、薬剤師等の管理担当者は、開封済みの医薬品が無くなってから、次の新しい箱（未開封の箱）を開封しなければならない。したがって、開封済みの箱が残っているのに新しい箱を開封してしまうのを防止するため、医薬品用の包装箱は、開封済みかどうかを一目で正確に判別できることが求められる。
【０００６】
しかし、特許文献１の再封機能付き包装用箱は、再封した状態と開封前の状態とを比較すると、ミシン目が切り離されているかという違いがあるものの、外観的に大きな差がなく、開封済みの包装箱かどうかを一目で正確に判別することは難しい。また、この再封機能付き包装用箱は、一枚の箱体形成片（特許文献１の図３を参照）から形成されるが、延長フラップ及び差し込み片が追加するため箱体形成片の面積が従来よりも大きくなり、しかも、延長フラップ及び差し込み片が側方に突出した変則的な外形になるので、大型のブランクシートから効率よく打ち抜くことが難しくなる。
【０００７】
この考案は、上記背景技術に鑑みて成されたものであり、再封する操作が簡単で、しかも再封した状態か開封前の状態かを一目で容易に判別することができる再封機能付き包装箱を提供することを目的とする。
【課題を解決するための手段】
【０００８】
本考案は、四角形の筒体を形成する複数の側面板と、前記複数の側面板の中の１つである第一の側面板の端部に第一折罫線を介して延設された外蓋片と、前記複数の側面板の中の、前記第一の側面板と対向する第二の側面板の端部に延設された内蓋片と、前記複数の側面板の中の、前記第一及び第二の側面板と交差する２つの側面板の端部に各々延設されたサイドフラップと、前記第一の側面板の内側の端部に設けられた開封部と、開封時に前記外蓋片及び前記開封部を前記第一の側面板から分離させるための開封用破断線とを備え、
開封前の組み立て状態で、前記サイドフラップ、前記内蓋片及び前記外蓋片が順に重なり、前記外蓋片が前記内蓋片の表面に糊付けされて蓋部が形成されるシールエンド型の包装箱であって、
前記内蓋片の先端中央部に再封用舌片が延設され、前記再封用舌片は、基端部の両側端に、各々内向きに延びる切り込み線又は切り欠きを一対に設けることによって、互いに反対方向に突出する係合部が一対に設けられ、２つの前記サイドフラップには、前記再封用舌片の係合部が係合可能な形状の係合受け部が各々設けられ、
開封前の組み立て状態で、前記再封用舌片は、前記内蓋片と面一に配置されて前記蓋部の中に収まり、前記開封用破断線が切り離されて開封された後、再封された状態で、前記サイドフラップ、前記内蓋片及び前記外蓋片が順に重なり、前記サイドフラップの前記係合受け部が前記再封用舌片の前記切り込み線又は切り欠きの中に入り、前記再封用舌片の前記係合部が前記係合受け部の内面側に係合することによって前記蓋部が閉じた状態に保持される再封機能付き包装箱である。
【０００９】
前記サイドフラップの、前記外蓋片の基端部に近い側の側端部が斜めに面取りされ、この面取りされた部分に前記係合受け部が設けられている構成にすることが好ましい。また、前記外蓋片の内側には、前記第一折罫線に対向する第二折罫線が設けられ、開封前の組み立て状態で、前記第二折罫線が、前記再封用舌片と前記内蓋片との境界部と重なる位置又はその近傍に配置される構成にすることが好ましい。また、前記再封用舌片は、前記第一の側面板と異なる色に彩色されていることが好ましい。さらに、一枚の箱体形成片を組み立てることによって形成されることが好ましい。
【考案の効果】
【００１０】
本考案の再封機能付き包装箱は、開封用破断線が切り離されて開封された後、再封された状態で、第一の側面板の、開封前に開封部が在った場所が開放し、その内側の少し離れた位置に開封用舌片が配置される。したがって、再封された状態と開封前の状態の外観の差が大きく、開封済みの箱体かどうかを一目で容易に判別することができる。
【００１１】
また、本考案の再封機能付き包装箱は、再封機能を有しない普通のシールエンド型包装箱からの主な変更点は、内蓋片を少し短くして、その短くした部分に独特な形状の再封用舌片を設け、さらにサイドフラップに独特な係合受け部を設けた点であり、箱体形成片の面積や外形は大きくならない。したがって、箱体形成片は、普通のシールエンド型包装箱と同様に、大型のブランクシートから効率よく打ち抜いて製作することができる。
【図面の簡単な説明】
【００１２】
【図１】本考案の再封機能付き包装箱の一実施形態の組み立て状態を示す斜視図（ａ）、蓋部を拡大した平面図（ｂ）である。
【図２】この実施形態の再封機能付き包装箱を展開した箱体形成片を表面側から見た平面図である。
【図３】この実施形態の再封機能付き包装箱の蓋部を示す斜視図であって、開封した状態を示す図（ａ）、再封する途中の状態を示す図（ｂ）、再封された状態を示す図（ｃ）である。
【考案を実施するための形態】
【００１３】
以下、本考案の再封機能付き包装箱の第一の実施形態について、図面に基づいて説明する。この実施形態の再封機能付き包装箱１０は、図１（ａ）に示すように、筒体１２の両端がシールエンド型の蓋部１４と底部１６とで閉鎖された直方体形状の箱体である。再封機能付き包装箱１０は、厚紙等で成る一枚の箱体形成片１８を組み立てることによって形成される。
【００１４】
箱体形成片１８は、図２（ａ）に示すように、互いに平行に連接された４つの側面板２０，２２，２４，２６を有している。側面板２０，２２，２４，２６は、連接している幅方向の長さは同じであり、連接方向の長さは、側面板２０，２４が短くて互いにほぼ等しく、側面板２２，２６が長くて互いにほぼ等しい。
【００１５】
側面板２６の連接方向の端部には、糊付け片２８が短く連接されている。糊付け片２８は、筒体１２を形成するため、組み立て時に側面板２０の端部に糊付けされる部分である。４つの側面板２０，２２，２４，２６及び糊付け片２８は、各々折罫線３０，３２，３４，３６で互いに区切られている。以下、側面板２２を第一の側面板２２と称し、側面板２６を第二の側面板２６と称する。
【００１６】
各側面板２０，２２，２４，２６の、図２における上側の端部には、蓋部１４を形成するための部材が延設され、下側の端部には、底部１６を形成するための部材が延設されている。
【００１７】
側面板２０の上側の端部には台形状のサイドフラップ３８が延設され、折罫線４０で側面板２０と区切られている。サイドフラップ３８は、延出長さが第一及び第二の側面板２２，２６の連接方向長さの約2/5で、後述する外蓋片４６側の側端部が斜めに面取りされ、この面取りされた部分に係合受け部３８ａが設けられている。また、側面板２０の下側の端部には、略長方形のサイドフラップ４２が延設され、折罫線４４で側面板２０と区切られている。そして、サイドフラップ４２の内側に、折罫線４４の一端部（第一の側面板２２側の端部）から斜めに延びる補助折罫線４２ａが設けられている。
【００１８】
第一の側面板２２の上側の端部には、略長方形の外蓋片４６が延設され、第一折罫線４８で第一の側面板２２と区切られている。外蓋片４６の延出長さは、側面板２０，２４の連接方向長さと同じか僅かに短い。そして、外蓋片４６の内側の、第一折罫線４８に近い位置に、第一折罫線４８とほぼ平行な第二折罫線５０が設けられ、外蓋片４６が基端側部分４６ａと先端側部分４６ｂとに区切られている。さらに、第一折罫線４８の両端から内向きに各々所定長さに亘って開封用破断線５２ａが設けられ、第一の側面板２６の内側に、開封用破断線５２ａの内側先端部を起点とするコの字形の開封用破断線５２ｂが設けられている。第一折罫線４８の中央部と開封用破断線５２ｂとで囲まれた部分は、再封機能付き包装箱１０を開封する時に指で押し破られる開封部５４となる。
【００１９】
また、第一の側面板２２の下側の端部には、略長方形の外底片５６が延設され、折罫線５８で第一の側面板２２と区切られている。外底片５６の延出長さは、側面板２０，２４の連接方向長さと同じか僅かに短い。
【００２０】
側面板２４の上側の端部には台形状のサイドフラップ６０が延設され、折罫線６２で側面板２４と区切られている。サイドフラップ６０は、外蓋片４６を軸にしてサイドフラップ３８と線対称な形状で、上記の係合受け部３８ａに対応する係合受け部が設けられている。また、側面板２４の下側の端部には、略長方形のサイドフラップ６４が延設され、折罫線６６で側面板２４と区切られている。
【００２１】
第二の側面板２６の上側の端部には、略長方形の内蓋片６８が延設され、折罫線７０で第二の側面板２６と区切られている。内蓋片６８の延出長さは、側面板２０，２４の連接方向長さの約2/3に設定されている。さらに、内蓋片６８の先端中央部に、略四角形の再封用舌片７２が延設され、折罫線７４で内蓋片６８と区切られている。再封用舌片７２は、幅が第二の側面板２６の連接方向長さの約1/2に、延出長さが側面板２０，２４の連接方向長さの約1/4〜1/3に設定され、先端両角部が丸く面取りされている。そして、再封用舌片７２の両側端部に、基端部を両側から各々内向きに延びる切り込み線７６を設けることによって、互いに反対方向に突出する係合部７２ａが一対に設けられている。
【００２２】
また、第二の側面板２６の下側の端部には、略長方形の内底片６８が延設され、解体用破断線８０で第二の側面板２６と区切られている。内底片７８の延出長さは、側面板２０，２４の連接方向長さよりも少し短い。
【００２３】
次に、再封機能付き包装箱１０の組み立て方法の一例を説明する。ここでは、図２に示す箱体形成片１８の各折罫線及び破断線の折り曲げ方について、表面が凸になる折り方を正折り、裏面が凸になる折り方を逆折りと称する。
【００２４】
まず、箱体形成片１８の折罫線３４を正折りして糊付け片２８及び第二の側面板２６を第一の側面板２２及び側面板２４に重ねる。そして、糊付け片２８の表面に糊を塗布した後、折罫線３０正折りして側面板２０を糊付け片２８に重ね、側面板２０の端部の裏面を糊付け片２８に糊付けする。箱体形成片１８はこの折り畳み状態で再封機能付き包装箱１０の製造工場等から出荷される。
【００２５】
次に、収容物の包装を行う工場等において、箱体形成片１８の折罫線３０，３２，３４，３６を各々９０度に正折りし、側面板２０，２２，２４，２６で成る四角形の筒体１２を形成する。そして、折罫線４４，６６でサイドフラップ４２，６４を各々９０度に正折りし、解体用破断線８０で内底片７８を９０度に正折りし、内底片７８の表面に糊を塗布した後、外底片５６を９０度に正折りして内底片７８に重ね、外底片５６の裏面を内底片７８に糊付けする。これで、筒体１２の一端部がシールエンド型の底部１６で閉鎖され、反対側の開放している端部から収容物を入れる。
【００２６】
収容物を入れると、次は、蓋部１４を形成する操作を行う。まず、折罫線４０，６２でサイドフラップ３８，６０を各々９０度に正折りし、折罫線７０を９０度に正折りして内蓋片６８及び再封用舌片７２をサイドフラップ３８，６０に重ねる。そして、内蓋片６８の表面に糊８２を塗布した後、外蓋片４６を第一折罫線４８で９０度に正折りして内蓋片６８及び再封用舌片７２に重ね、外蓋片４６の先端側部分４６ｂの裏面を内蓋片６８に糊付けする。これで、筒体１２の他端部もシールエンド型の蓋部１４で閉鎖され、図１（ａ）、（ｂ）に示す組み立て状態になる。
【００２７】
組み立て状態では、図１（ｂ）に示すように、再封用舌片７２は、内蓋片６８と面一に配置されて蓋部１４の中に収まる。また、外蓋片４６の第二折罫線５０が、再封用舌片７２と内蓋片６８との境界部の折罫線７４と重なる位置又はその近傍に配置される。
【００２８】
再封機能付き包装箱１０を正規に開封する時は、開封部５４を指で押して開封用破断線５２ｂを破断させ、外蓋片４６を少し引き上げて開封用破断線５２ａを破断させ、外蓋片４６及び開封部５４を第一の側面板２２から分離させる。これで外蓋片４６及び内蓋片６８が開閉可能になり、外蓋片４６及び内蓋片６８を大きく引き上げた後、サイドフラップ３８，６０を引き上げると、図３（ａ）に示すように蓋部１２が広く開放し、中の収容物を取り出すことができる。外蓋片４６及び開封部５４は、内蓋片６８に接続されているのでゴミにはならない。
【００２９】
再封機能付き包装箱１０を開封した後、再封する時は、図３（ｂ）に示すように、まず、折罫線４０，６２を９０度に正折りしてサイドフラップ３８，６０を倒し、外蓋片４６の基端側部分４６ａを、第二折罫線５０を逆折りして少し起こす。そして、折罫線７０を９０度に正折りし、内蓋片６８及び外蓋片４６の先端側部分４６ｂをサイドフラップ３８，６０に重ねた後、折罫線７４を９０度に正折りして再封用舌片７２を下向きに立てる操作を行うと、図３（ｃ）に示す再封された状態になる。
【００３０】
再封された状態では、サイドフラップ３８，６０、内蓋片６８及び外蓋片４６が順に重なり、係合受け部３８ａ，６０ａが再封用舌片７２の２つの切り込み線７６の中に各々入り、再封用舌片７２の２つの係合部７２ａが、対応する係合受け部３８ａ，６０ａの内面側に係合し、蓋部１４が閉じた状態に保持される。そして、第一の側面板２２の、開封前に開封部が在った場所が開放し、その内側の少し離れた位置に再封用舌片７２が配置される。したがって、再封された状態と開封前の状態の外観を比較すると、第一の側面板の側から見た時に、特に大きな差が生じる。
【００３１】
再封機能付き包装箱１０を開封した後、廃棄する時は、図１（ａ）に示す筒体１２のＰ１部とＰ２部を互いに近づけるように押圧する操作を行う。この操作を行うと、サイドフラップ４２ａは解体用破断線８０が破断して底部１６が解体され、サイドフラップ４２が補助折罫線４２ａで折れ曲がるので、筒体１２及び底部１６をスムーズに折り畳むことができ、再封機能付き包装箱１０をコンパクトに廃棄することができる。
【００３２】
以上説明したように、再封機能付き包装箱１０は、第一の側面板の側から見た時の外観が、再封され状態と開封前の状態で大きく異なるので、開封済みの箱体かどうかを一目で容易に判別することができる。また、再封機能付き包装箱１０は、再封機能を有しない普通のシールエンド型包装箱からの変更点は、内蓋片６８を少し短くして、その短くした部分に独特な形状の再封用舌片７２を設けた点と、サイドフラップ３８，６０に独特な係合受け部３８ａ，６０ａを設けた点であり、箱体形成片の面積や外形は大きくならない。したがって、箱体形成片１８は、普通のシールエンド型包装箱と同様に、大型のブランクシートから効率よく打ち抜いて製作することができる。
【００３３】
なお、本考案の再封機能付き包装箱は、上記実施形態に限定されるものではない。例えば、上記のサイドフラップ３８，６０の係合受け部３８ａ，６０ａ及びその近傍の形状は、図３（ｃ）に示す再封の操作を行う時、再封用舌片の係合部と係合受け部３８ａ，６０ａとをスムーズに係合させることができる形状の一例を示したものであり、箱体形成片の基材の厚みや材質に応じて適宜調節し変更することができる。切り込み線７６及び係合部７２ａの形状についても同様で、例えば、箱体形成片１８の基材が厚い時は、上記の切り込み線７６を、所定の開口幅を有した切り欠きに変更してもよい。
【００３４】
外蓋片４６の第二折罫線５０と再封用舌片７２の基端部の折罫線７４は、図３（ｃ）に示す再封の操作を行う時、再封用舌片７２を下向きに立てる操作をスムーズにできるようにするための折罫線であり、必要に応じて省略することができる。
【００３５】
また、再封された状態で、箱体が開封済みであることをより明確に示すため、再封用舌片７２の表面側を、第一の側面板２２とは異なる色に彩色したり、「開封済み」の文字を表示したりすることが好ましい。
【００３６】
その他、底部の構成は、上記の底部１６の構造に限定されず、自由に変更することができ、例えば、例えば蓋部と同じ構造にしてもよい。
【符号の説明】
【００３７】
１０  再封機能付き包装箱
１２  筒体
１４  蓋部
１６  底部
１８  箱体形成片
２０，２４  側面板
２２  第一の側面板
２６  第二の側面板
３８，６０  サイドフラップ
３８ａ，６０ａ  係合受け部
４６  外蓋片
４８  第一折罫線
５０  第二折罫線
５２ａ，５２ｂ  開封用破断線
５４  開封部
６８  内蓋片
７２  再封用舌片
７２ａ  係合部
【図１】
0003224237.tif 000003
【図２】
0003224237.tif 000004
【図３】
0003224237.tif 000005